(57)【要約】【課題】コストを抑えてＡＤＦでの原稿の読み取りを迅速に行えるカラー画像読取装置を提供する。【解決手段】ＡＤＦに原稿が有るのかＦＢＳに原稿があるのかを検出する原稿検知センサ１６と、各ラインイメージセンサ２Ｒ，２Ｇ，２Ｂの読み取りラインの位置ずれを補正するためにセンサ信号を必要なライン分遅延するライン補正メモリ７Ｒ，７Ｇ，７Ｂと、原稿検知センサ１６からの信号に基づいて遅延メモリ書込制御信号Ｓ１及び遅延メモリ書込制御信号Ｓ３に対するライン補正メモリ７Ｒ，７Ｂの遅延量を切り替える切替スイッチ１５とを備える。遅延メモリ書込制御信号Ｓ２とライン補正メモリ７Ｇは固定接続されている。切替スイッチ１５は、ＦＢＳによる読み取り時にはスイッチを図示のように切り替え、ＡＤＦによる読み取り時にはスイッチを反対側に切り替える。【選択図】      図４
2004349995.tif 000002
【特許請求の範囲】
【請求項１】
読取位置に原稿を自動供給する自動原稿供給装置と、前記読取位置とは別の読取開始位置から原稿の読み取りを開始するフラットベッドスキャナと、平行に配置した複数のラインセンサとを備え、自動原稿供給装置に係る読取位置での原稿の読み取りとフラットベッドスキャナに係る読取開始位置からの原稿の読み取りとに前記ラインセンサを共用するカラー画像読取装置であって、
自動原稿供給装置による読み取りを実行するかフラットベッドスキャナによる読み取りを実行するかを判断する判断手段と、各ラインセンサの読み取りラインの位置ずれを補正するためにセンサ信号を必要なライン分遅延するライン補正手段と、判断手段の判断結果に基づいて各ラインセンサに対するライン補正手段の遅延量を切り替える切替手段とを備えたことを特徴とするカラー画像読取装置。
【請求項２】
前記各ライン補正手段は、同一数の遅延セルを持ち、各ライン補正手段への書込制御信号を切り替えることにより、前記遅延量を切り替えることを特徴とする請求項１記載のカラー画像読取装置。
【請求項３】
判断手段の判断結果に基づいて、各ラインセンサのセンサ信号について、主走査方向の画素の順序を入れ替える画素順序入替手段を備えることを特徴とする請求項１又は請求項２記載のカラー画像読取装置。
【請求項４】
自動原稿供給装置に原稿がセットされているか否かを検出する原稿検知センサを備え、判断手段は、原稿検知センサの検知信号に基づいて、自動原稿供給装置による読み取りを実行するかフラットベッドスキャナによる読み取りを実行するかを判断することを特徴とする請求項１、請求項２又は請求項３記載のカラー画像読取装置。
【請求項５】
フラットベッドスキャナに原稿がセットされているか否かを検出する原稿検知センサを備え、判断手段は、原稿検知センサの検知信号に基づいて、自動原稿供給装置による読み取りを実行するかフラットベッドスキャナによる読み取りを実行するかを判断することを特徴とする請求項１、請求項２又は請求項３記載のカラー画像読取装置。
【発明の詳細な説明】
【０００１】
【発明の属する技術分野】
この発明は、デジタルカラーコピー機などのカラー画像読取装置に関する。
【０００２】
【従来の技術】
カラー画像読取装置として、読取位置に原稿を自動供給する自動原稿供給装置（ＡＤＦ）と、原稿を読み取るフラットベッドスキャナ（ＦＢＳ）と、原稿の読み取りのために副走査方向（ラインセンサの長手方向に直角な方向）に間隔を開けて配置した複数（例えばＲＧＢの３つ）のラインセンサとを備え、ＡＤＦでの原稿の読み取りとＦＢＳでの原稿の読み取りとにラインセンサを共用するものがある。
【０００３】
例えば、ＡＤＦ、ＦＢＳ、４つのラインセンサ（ＲＧＢの各カラー用センサ、モノクロ専用のＹセンサ）を有する４ラインカラーＣＣＤセンサ、セレクタ、ＡＤ変換器、ライン遅延並び替え部を備え、モード設定（カラー／モノクロ、又は原稿の順方向又は逆方向スキャン）別により、各カラーセンサの出力信号の順序を適宜切り替えて処理を行う装置がある（例えば、特許文献１参照）。
【０００４】
【特許文献１】
特開２００２−１１１９６８号公報
【０００５】
【発明が解決しようとする課題】
上記特許文献１記載の装置は、ＡＤＦでの読み取り時には、ＡＤＦで取り出した原稿を一旦、ＦＢＳのプラテンガラス上に停止させ、その状態でＦＢＳの読み取り時と同様に、プラテンガラスの下方に位置する４ラインセンサを搭載したキャリッジを移動させながらスキャンするタイプ、すなわち、ＡＤＦでの原稿の読取位置とＦＢＳでの原稿の読取位置が同じタイプである。
【０００６】
しかしながら、このタイプの装置によると、ＡＤＦで取り出した原稿をプラテンガラス上まで搬送し、プラテンガラス上に停止させてから、キャリッジを移動させてスキャンするため、原稿の読み取りに時間が掛かり、特に原稿の枚数が多いときは、その問題が顕著になる。そのような問題を解決するために、例えば複雑な回路を搭載するなどしても、コスト増になるのは好ましくない。
【０００７】
この発明は、そのような現状の問題点に着目してなされたもので、コストを抑えてＡＤＦでの原稿の読み取りを迅速に行えるカラー画像読取装置を提供することを目的としている。
【０００８】
【課題を解決するための手段】
上記目的を達成するために、この発明の請求項１記載のカラー画像読取装置は、読取位置に原稿を自動供給する自動原稿供給装置（ＡＤＦ）と、前記読取位置とは別の読取開始位置から原稿の読み取りを開始するフラットベッドスキャナ（ＦＢＳ）と、平行に配置した複数のラインセンサとを備え、ＡＤＦに係る読取位置での原稿の読み取りとＦＢＳに係る読取開始位置からの原稿の読み取りとに前記ラインセンサを共用するものであって、ＡＤＦによる読み取りを実行するかＦＢＳによる読み取りを実行するかを判断する判断手段と、各ラインセンサの読み取りラインの位置ずれを補正するためにセンサ信号を必要なライン分遅延するライン補正手段と、判断手段の判断結果に基づいて各ラインセンサに対するライン補正手段の遅延量を切り替える切替手段とを備えたことを特徴とする。
【０００９】
この装置は、上記特許文献１記載の装置とは異なり、ＡＤＦでの原稿の読取位置とＦＢＳでの原稿の読取位置が異なるタイプである。ＡＤＦでの原稿はＡＤＦ用に設定された読取位置で読み取るため、つまり光源等を搭載したキャリッジを静止させた状態で原稿を搬送しながら読み取りを行うタイプ（シートスルータイプ）であるため、特許文献１記載の装置に比べてＡＤＦでの読み取りに時間が掛からない。特に、ＡＤＦでの原稿の枚数が多い場合に、読み取り時間を相当短縮できる。
【００１０】
また、ＡＤＦによる読み取りを実行するかＦＢＳによる読み取りを実行するかを判断した結果に基づいて、各ラインセンサとライン補正手段との接続形態を切り替える構成であるため、簡単な回路構成でコストを抑制できる。
【００１１】
上記基本構成において、各ライン補正手段は、同一数の遅延セルを持ち、各ライン補正手段への書込制御信号を切り替えることにより、遅延量を切り替える。
【００１２】
或いは、上記基本構成において、判断手段の判断結果に基づいて、各ラインセンサのセンサ信号について、主走査方向（ラインセンサの長手方向）の画素の順序を入れ替える画素順序入替手段を備えてもよい。この場合、ＡＤＦでの読み取り時にラインセンサの一端側の画素を開始点としたとき、ＦＢＳでの読み取り時は他端側の画素を開始点とすることになる。つまり、ＡＤＦでの読み取り時とＦＢＳでの読み取り時とで左右の画素順序を入れ替える。
【００１３】
また、ＡＤＦに原稿がセットされているか否かを検出する原稿検知センサを備え、判断手段は、原稿検知センサの検知信号に基づいて、ＡＤＦによる読み取りを実行するかＦＢＳによる読み取りを実行するかを判断することとしてもよい。ユーザによる読み取り開始指示が入力される前又は入力された時点でＡＤＦに原稿が有る場合は、ＡＤＦによる読み取りであると判断する。
【００１４】
一方、ＦＢＳに原稿がセットされているか否かを検出する原稿検知センサを備え、判断手段は、原稿検知センサの検知信号に基づいて、ＡＤＦによる読み取りを実行するかＦＢＳによる読み取りを実行するかを判断することとしてもよい。ユーザによる読み取り開始指示が入力される前又は入力された時点でＦＢＳに原稿が有る場合は、ＦＢＳによる読み取りであると判断する。
【００１５】
ＦＢＳに係る原稿検知センサは、例えばＦＢＳに係る原稿サイズ検知センサ又は画像読取用ラインセンサ（ＣＣＤ）を使用できる。後者の場合、プラテンカバーが閉まる直前に行う原稿幅検知において、原稿有りと判断したときにはＦＢＳによる読み取りであると判断する。
【００１６】
【発明の実施の形態】
以下、実施の形態により、この発明を更に詳細に説明する。
【００１７】
その実施形態に係るカラー画像読取装置の内部構造の概略図を図１に示す。装置本体の上部にはＦＢＳ６０が設けられ、ＦＢＳ６０は、装置本体の奥寄りの位置にヒンジ連結されて手前側が開閉可能なブックプラテンカバー６１を有する。このブックプラテンカバー６１は、その左側にＡＤＦ７０が配置されており、ＡＤＦ７０により読み取る原稿が載置される原稿供給トレイ６２をその上部に、読み取り後の原稿が排出される原稿排出トレイ６３を原稿供給トレイ６２の下側にそれぞれ備えている。自動原稿供給装置であるＡＤＦ７０は、原稿供給トレイ６２から原稿を１枚ずつ読取位置に自動供給するものである。
【００１８】
ＡＤＦ７０内において、原稿供給トレイ６２の原稿出口に近接した位置に、原稿を１枚ずつ分離するための分離ローラ７１が設けられ、更に原稿搬送路中に移送ローラ７２が設けられ、原稿排出トレイ６３の原稿入口に近接した位置に排出ローラ７３が設けられている。
【００１９】
ＡＤＦ７０で搬送された原稿の画像を読み取る読取位置には、２枚のミラー７５と３ラインカラーＣＣＤ７６が配置され、原稿の画像がミラー７５により反射されて、３ラインカラーＣＣＤ７６により撮像される。なお、図面には示してないが、原稿を照射する光源も配置されている。３ラインカラーＣＣＤ７６は、ＲＧＢ用の各画素センサからなり、各画素センサは、原稿の読み取りのために、同じタイミングにおける読取位置が副走査方向（ＣＣＤ７６の長手方向と直交する方向）に所定間隔を開けて配置されている。
【００２０】
後述するように、ここでは３ラインカラーＣＣＤ７６は、ミラー７５や光源等とともにキャリッジに一体に取付けられており、このキャリッジは、ＡＤＦ７０による読み取りの場合は、図１の位置で静止したまま原稿画像を読み取り、ＦＢＳ６０による読み取りの場合は、図１の位置よりも右側の読取開始位置（原稿セット基準位置）から右方向に移動しながら原稿画像を読み取る。つまり、ＡＤＦ７０による読み取りでは、静止した３ラインカラーＣＣＤ７６に対し原稿が移動し、ＦＢＳ６０による読み取りでは、静止した原稿に対し３ラインカラーＣＣＤ７６が移動する。
【００２１】
なお、移動キャリッジに光源、ミラー、レンズ、ラインセンサを全て搭載し、ＦＢＳによる読み取り時には、各要素を移動キャリッジと一体的に移動させながら読み取りを行うタイプ（本実施形態）と、移動キャリッジには光源、ミラーを搭載し、レンズ、ラインセンサは移動キャリッジに搭載せず、ＦＢＳによる読み取り時には、レンズ、ラインセンサは静止したまま、光源、ミラーを移動キャリッジと一体的に移動させながら読み取りを行うタイプとがあり、どのタイプでも適用可能である。
【００２２】
このカラー画像読取装置の構成例を示すブロック図を図２に示す。図２において、ＭＰＵ２１（中央処理装置）は、当該装置全体を制御する機能を有する。また、ＭＰＵ２１は、後述するように、ＦＢＳ６０による読み取りを実行するかＡＤＦ７０による読み取りを実行するかを判断する機能を有する。
【００２３】
このＭＰＵ２１には、システムバス２０を介して画像読取部２２、操作部２３、表示部２４、ＲＯＭ２５、ＲＡＭ２６、プリンタ２７、ＡＤＦ原稿セットセンサ２８、ＦＢＳ原稿セットセンサ２９が接続されている。
【００２４】
画像読取部２２は、３ラインカラーＣＣＤ７６からの原稿画像の信号を処理する。具体的には、３ラインカラーＣＣＤ７６の出力をアナログ増幅するとともに、デジタルデータを多値化出力する。操作部２３は、コピーの開始等を指示するスタートキー、コピー枚数や部数等を入力するためのテンキー等を有する。表示部２４は、操作部２３の操作により入力されたコピー枚数や部数、プリンタ２７のトナー残量等の種々の情報を表示する。この表示部２４としては、例えばＬＣＤ（液晶表示装置）が用いられる。
【００２５】
ＲＯＭ２５は、この装置全体の動作を制御するためのプログラム等を予め記憶してある。ＲＡＭ２６は、ＭＰＵ２１による制御に必要なデータ及び制御動作時に一時記憶が必要なデータ等を記憶する。プリンタ２７は、３ラインカラーＣＣＤ７６が読み取った画像データを用紙にカラー又はモノクロで印字する。
【００２６】
ＡＤＦ原稿セットセンサ２８は、ＡＤＦ７０に係る原稿供給トレイ６２に原稿がセットされたか否かを検出するためのものであり、ＭＰＵ２１は、ユーザにより読み取り開始指示が入力される前又は入力された時点で、ＡＤＦ７０に原稿有りと判断したときは、ＡＤＦ７０による読み取りであると判断する。ＦＢＳ原稿セットセンサ２９は、ＦＢＳ６０に係るプラテンカバー（符号は付せず）に原稿がセットされたか否かを検出するためのものであり、ＭＰＵ２１は、ユーザにより読み取り開始指示が入力される前又は入力された時点で、ＦＢＳ６０に原稿有りと判断したときは、ＦＢＳ６０による読み取りであると判断する。
【００２７】
画像読取部２２は、図３に示すように、Ｒ信号処理部１Ｒと、Ｇ信号処理部１Ｇと、Ｂ信号処理部１Ｂと、色変換部８と、画像処理部９と、画像メモリ１０と、出力装置１１（前記プリンタ２７）とを備えている。
【００２８】
Ｒ信号処理部１Ｒは、ラインイメージセンサ２Ｒと、アナログフロントエンド（ＡＦＥ）回路３Ｒと、Ａ／Ｄ変換部４Ｒと、シェーディング補正回路５Ｒと、ライン補正メモリ（ライン補正手段）７Ｒとを備えている。Ｇ信号処理部１Ｇは、ラインイメージセンサ２Ｇと、アナログフロントエンド回路３Ｇと、Ａ／Ｄ変換部４Ｇと、シェーディング補正回路５Ｇと、ライン補正メモリ７Ｇとを備えている。また、Ｂ信号処理部１Ｂは、ラインイメージセンサ２Ｂと、アナログフロントエンド回路３Ｂと、Ａ／Ｄ変換部４Ｂと、シェーディング補正回路５Ｂとを備えている。ここで、Ｂ信号処理部１Ｂにライン補正メモリを備えていないのは、Ｂ信号を基準にして他のＲ信号、Ｇ信号を遅延するためである。
【００２９】
ラインイメージセンサ２Ｒは、ＣＣＤで構成され、タイミング信号が加えられるたびに、原稿の１走査ラインの画像のＲ信号を分離して読み取り、所定間隔をおいて、次の１走査ラインの画像のＲ信号を順次に読み取り、読み取った１走査ラインの画像データを出力する。アナログフロントエンド回路３Ｒは、ラインイメージセンサ２Ｒの出力を受けて、アナログ増幅する。Ａ／Ｄ変換部４Ｒは、アナログフロントエンド回路３Ｒのアナログ出力を受け、デジタル信号に変換する。
【００３０】
シェーディング補正回路５Ｒは、ここではシェーディングＲＡＭを含み、シェーディングＲＡＭには基準板（白基準板）読み取り時のＡ／Ｄ変換部４Ｒの出力をシェーディング補正データとして記憶している。シェーディング補正回路５Ｒは、原稿読み取り時のＡ／Ｄ変換部４Ｒの出力をシェーディング補正データにより補正して出力する。ライン補正メモリ７Ｒは、ラインイメージセンサ２Ｒの読み取りラインの位置ずれを補正するのに必要なライン分（例えば８ライン分）のセンサ信号を蓄積可能であり、シェーディング補正回路５Ｒの出力を受けて、所定ライン分遅延させて出力する。他のＧ信号処理部１Ｇ、Ｂ信号処理部１Ｂを構成する各回路も同様である。
【００３１】
仮に、ラインイメージセンサ２Ｒ，２Ｇ，２Ｂのそれぞれの間隔が４走査ライン分に相当するとすれば、シェーディング補正回路５Ｒから１走査ラインのＲ信号が出力されてから、４ライン分遅れてシェーディング補正回路５Ｇから１走査ラインのＧ信号が出力され、更に４ライン分遅れてシェーディング補正回路５Ｂから１走査ラインのＢ信号が出力される。従って、Ｒ信号はライン補正メモリ７Ｒで８ライン分遅延されて、Ｇ信号はライン補正メモリ７Ｇで４ライン分遅延されて、それぞれ色変換部８に入力される。そのため、色変換部８に入力されるＲ，Ｇ，Ｂの各信号は同一走査ライン上のものとなる。
【００３２】
色変換部８では、Ｒ，Ｇ，Ｂの色信号がＬ＊  ，ａ＊  ，ｂ＊  に変換される。色変換部８でＬ＊  ，ａ＊  ，ｂ＊  に変換されたデータは、画像処理部９を経て、一旦、画像メモリ１０に記憶された後、出力装置１１に供給される。
【００３３】
このカラー画像読取装置は、ＭＰＵ２１がＦＢＳ６０による読み取りを実行するかＡＤＦ７０による読み取りを実行するかを判断し、その判断結果に基づいて各ラインイメージセンサ２Ｒ，２Ｇ，２Ｂとライン補正メモリ７Ｒ，７Ｇ，７Ｂとの接続形態を切り替える切替スイッチ（切替手段）１５を備えることが特徴である（図４参照）。
【００３４】
ライン補正メモリ７Ｒ，７Ｇ，７Ｂは、ここでは同一記憶セル数を持ち、ライン単位で書込許可時間を制御し、読み出し時にＲ，Ｇ，Ｂ信号を同時に読み出すように制御することにより、同一ライン上のデータを出力するものである。
【００３５】
一方、書込制御信号Ｓ１は、Ｒ，Ｇ，Ｂの読み取り信号の最初に入力される１ライン分の信号をライン補正メモリに書き込むための制御信号である。書込制御信号Ｓ２は、書込制御信号Ｓ１よりもラインイメージセンサ間に相当するライン分遅れて次の信号をライン補正メモリに書き込むための制御信号である。更に書込制御信号Ｓ３は、１番遅れて入力される読み取り信号の１ライン分の信号をライン補正メモリに書き込むための制御信号である。
【００３６】
今、原稿の同じライン位置のＲ，Ｇ，Ｂの画像がシェーディング補正回路５Ｒ，５Ｇ，５Ｂに順次入力され、Ｒ信号、つまりシェーディング補正回路５Ｒよりの信号が１番早く出力され、このＲ信号を基準としてＧ信号、つまりシェーディング補正回路５Ｇよりの信号が４ライン分遅れて出力されるものとする。また、Ｂ信号、つまりシェーディング補正回路５Ｂよりの信号が８ライン分遅れて出力されるものとする。
【００３７】
この場合、ライン補正メモリ７Ｒには遅延メモリ書込制御信号Ｓ１が加えられ、ライン補正メモリ７Ｇには遅延メモリ書込制御信号Ｓ２が加えられ、更にライン補正メモリ７Ｂには遅延メモリ書込制御信号Ｓ３が加えられる。そのため、最初にシェーディング補正回路５Ｒより出力されたＲ信号１ライン分は、遅延メモリ書込制御信号Ｓ１によってライン補正メモリ７Ｒに書き込まれ記憶される。次に、４ライン分遅れて、Ｇ信号がシェーディング補正回路５Ｇより出力されると、この１ライン分のＧ信号が遅延メモリ書込制御信号Ｓ２によってライン補正メモリ７Ｇに書き込まれ記憶される。更に、４ライン分（Ｒ信号からは８ライン分）遅れて、Ｂ信号がシェーディング補正回路５Ｂより出力されると、この１ライン分のＢ信号が遅延メモリ書込制御信号Ｓ３によってライン補正メモリ７Ｂに書き込まれ記憶される。この時点で、ライン補正メモリ７Ｒ，７Ｇ，７Ｂの記憶内容を同時に読み出すと、原稿同ライン位置のＲ，Ｇ，Ｂ信号が同時に出力される。
【００３８】
原稿同ライン位置のＲ，Ｇ，Ｂデータに関し、Ｂ信号、つまりシェーディング補正回路５Ｂのデータが早く出力される場合には、切替スイッチ１５を逆に投入する。切替スイッチ１５を切り替えると、遅延メモリ書込制御信号Ｓ１がライン補正メモリ７Ｂに、遅延メモリ書込制御信号Ｓ３がライン補正メモリ７Ｒに入力され、上記と逆に、ライン補正メモリ７Ｂへの書き込みが一番早くなり、ライン補正メモリ７Ｒへの書き込みが一番遅くなる。そして、原稿同ライン位置のＲ，Ｇ，Ｂ信号は、やはりライン補正メモリ７Ｒ，７Ｇ，７Ｂより同時に出力される。
【００３９】
ここで、ＦＢＳ６０とＡＤＦ７０の各々の画像読み取り時の各ラインイメージセンサの走査順を説明する。図５において、ＡＤＦ７０による読み取りの場合は、３つのラインイメージセンサを有するキャリッジ３０は図示の位置に静止し、ＡＤＦ７０によって搬送されてきた原稿４１を読取位置Ａで読み取る。一方、ＦＢＳ６０による読み取りの場合は、キャリッジ３０は読取開始位置（原稿セット基準位置）Ｂから右方向に移動しながら、ＦＢＳ６０（プラテンガラス）上にある原稿４２を読み取る。
【００４０】
すなわち、ＡＤＦ７０による読み取り時には、図６に示すように、静止状態の３つのラインイメージセンサＲＧＢに対して原稿４１が矢印方向に移動するので、原稿４１の１ラインの走査順はＢラインイメージセンサが１番目、Ｇラインイメージセンサが２番目、Ｒラインイメージセンサが３番目となる。これに対して、ＦＢＳ６０による読み取り時には、図７に示すように、静止状態の原稿４２に対して３つのラインイメージセンサＲＧＢが矢印方向に移動するので、原稿４２の１ラインの走査順はＲラインイメージセンサが１番目、Ｇラインイメージセンサが２番目、Ｂラインイメージセンサが３番目となる。従って、ＦＢＳ６０による読み取り時とＡＤＦ７０による読み取り時とで接続形態を切り替えることとする。
【００４１】
この場合の画像読取部２２の回路を図４に示す。但し、図３と同じ要素には同一符号を付してあり、一部構成を省略してある。図４と図３を比較すれば明らかなように、図４の回路では、Ｂ信号処理部１Ｂのシェーディング補正回路５Ｂの後段にライン補正メモリ７Ｂが設けられるとともに、各ライン補正メモリ７Ｒ，７Ｇ，７Ｂの前段にて、遅延メモリ書込制御信号Ｓ１（１２）及び遅延メモリ書込制御信号Ｓ３（１４）とライン補正メモリ７Ｒ，７Ｂとの接続形態を切り替える切替スイッチ（切替手段）１５が設けられている。但し、ＦＢＳ６０による読み取りとＡＤＦ７０による読み取りとで、Ｇラインイメージセンサの走査順は２番目で変わりがないので、遅延メモリ書込制御信号Ｓ２（１３）とライン補正メモリ７Ｇは固定接続されている。
【００４２】
ここでは、遅延メモリ書込制御信号Ｓ１は８走査ライン分遅延させる信号、遅延メモリ書込制御信号Ｓ２は４走査ライン分遅延させる信号、遅延メモリ書込制御信号Ｓ３は遅延させない信号である。また、切替スイッチ１５には、原稿検知センサ１６（ＡＤＦ原稿セットセンサ２８又はＦＢＳ原稿セットセンサ２９）からの原稿有無信号が入力され、切替スイッチ１５はその信号に基づいてスイッチを切り替える。
【００４３】
ＦＢＳ６０による読み取りを行う場合、原稿検知センサ１６によりＦＢＳ６０に原稿有りの信号が切替スイッチ１５に入力されると、切替スイッチ１５はＦＢＳ６０による読み取りに応じてスイッチを図示のように切り替える。これにより、遅延メモリ書込制御信号Ｓ１がライン補正メモリ７Ｒに接続され、遅延メモリ書込制御信号Ｓ３がライン補正メモリ７Ｂに接続される。この結果、Ｂ信号に対してＲ信号は相対的に８ライン分遅延され、Ｇ信号は相対的に４ライン分遅延されるので、色変換部８に入力されるＲ，Ｇ，Ｂの各信号は同一走査ライン上のものとなる。
【００４４】
一方、ＡＤＦ７０による読み取りを行う場合、原稿検知センサ１６によりＡＤＦ７０に原稿有りの信号が切替スイッチ１５に入力されると、切替スイッチ１５はＡＤＦ７０による読み取りに応じてスイッチを図示とは反対側に切り替える。これにより、遅延メモリ書込制御信号Ｓ１がライン補正メモリ７Ｂに接続され、遅延メモリ書込制御信号Ｓ３がライン補正メモリ７Ｒに接続される。この結果、Ｒ信号に対してＢ信号は相対的に８ライン分遅延され、Ｇ信号は相対的に４ライン分遅延されるので、色変換部８に入力されるＲ，Ｇ，Ｂの各信号は同一走査ライン上のものとなる。
【００４５】
【発明の効果】
この発明によれば、次の効果が得られる。
（１）ＡＤＦでの読み取りに時間が掛からない。特に、ＡＤＦでの原稿の枚数が多い場合に、読み取り時間を相当短縮できる。
（２）簡単な回路構成であり、コストを抑制できる。
（３）ユーザのキー入力なしに信号順序の入替えが可能である。
（４）ライン補正手段の前段で切り替えるため、ＡＤＦによる読み取り時とＦＢＳによる読み取り時とで何ら設定変更なしに後段の処理回路（ライン補正手段以降の回路）を使用できる。すなわち、ライン補正回路やズレ補正回路の構成や制御に影響を与えることなく、ＡＤＦ及びＦＢＳによる両読み取りを実現できる。
【図面の簡単な説明】
【図１】実施形態に係るカラー画像読取装置の内部構造の概略図である。
【図２】同カラー画像読取装置の構成例を示すブロック図である。
【図３】図２のブロック図における画像読取部の構成例を示すブロック図である。
【図４】図２のブロック図における画像読取部の別の構成例を示すブロック図である。
【図５】ＦＢＳとＡＤＦの各々の画像読み取り時における各ラインイメージセンサの走査順を説明するための図である。
【図６】ＡＤＦによる読み取り時における原稿に対する３つのラインイメージセンサＲＧＢの走査順を説明する図である。
【図７】ＦＢＳによる読み取り時における原稿に対する３つのラインイメージセンサＲＧＢの走査順を説明する図である。
【符号の説明】
１Ｒ                Ｒ信号処理部
１Ｇ                Ｇ信号処理部
１Ｂ                Ｂ信号処理部
２Ｒ，２Ｇ，２Ｂ    ラインイメージセンサ
３Ｒ，３Ｇ，３Ｂ    アナログフロントエンド（ＡＦＥ）回路
４Ｒ，４Ｇ，４Ｂ    Ａ／Ｄ変換部
５Ｒ，５Ｇ，５Ｂ    シェーディング補正回路
７Ｒ，７Ｇ，７Ｂ    ライン補正メモリ（ライン補正手段）
８                  色変換部
９                  画像処理部
１５                切替スイッチ（切替手段）
１６                原稿検知センサ
２１                ＭＰＵ（判断手段）
２２                画像読取部
２８                ＡＤＦ原稿セットセンサ
２９                ＦＢＳ原稿セットセンサ
６０                フラットベッドスキャナ（ＦＢＳ）
７０                自動原稿供給装置（ＡＤＦ）
７６                ３ラインカラーＣＣＤ
【図１】
2004349995.tif 000003
【図２】
2004349995.tif 000004
【図３】
2004349995.tif 000005
【図４】
2004349995.tif 000006
【図５】
2004349995.tif 000007
【図６】
2004349995.tif 000008
【図７】
2004349995.tif 000009